(57)【要約】【課題】面光源装置の薄型省スペース化と輝度ムラ改善の両方の課題を解決できる技術を提供することを目的とする。【解決手段】光源と光反射体、液晶表示素子からなる面光源装置において、可視光域における全反射率が７０％以上であり、かつ光線透過率が１５％以下である遮蔽部材が前記光源と前記液晶表示素子との間に配置されていることを特徴とする面光源装置。本発明によれば、バックライト方式の面光源装置の薄型省スペース化と輝度ムラの改善をすることができる。また、サイドライト方式の面光源装置において導光体からの発光面分布にムラが生じてしまっている場合にも、その明るい部分に遮蔽部材を配置して輝度ムラを低減することも可能である。【選択図】図２
2006267523.tif 000002
【特許請求の範囲】
【請求項１】
光源と光反射体、液晶表示素子からなる面光源装置において、可視光域における全反射率が７０％以上であり、かつ光線透過率が１５％以下である遮蔽部材が前記光源と前記液晶表示素子との間に配置されていることを特徴とする面光源装置。
【請求項２】
前記遮蔽部材と前記液晶表示素子との間に、反射率が１０％以上の半透過部材が配置されていることを特徴とする請求項１に記載の面光源装置。
【請求項３】
前記遮蔽部材が、内部に平均気泡径が５０μｍ以下の気泡または気孔を複数有する熱可塑性樹脂のフィルムまたはシートであることを特徴とする請求項１または２に記載の面光源装置。
【請求項４】
前記遮蔽部材が、フィラーを含有する熱可塑性樹脂のフィルムまたはシートであって、前記フィラーを核として複数のボイドが形成されているフィルムまたはシートにより形成されていることを特徴とする請求項１または２に記載の面光源装置。
【請求項５】
前記フィラーを含有する熱可塑性樹脂のフィルムまたはシートは、フィラーを含有する未延伸フィルムまたはシートを成形し、この未延伸フィルムまたはシートを延伸することにより、前記フィラーを核として複数のボイドを形成した多孔性延伸フィルムまたはシートであることを特徴とする請求項４に記載の面光源装置。
【請求項６】
前記遮蔽部材が紫外線吸収剤を含有することを特徴とする請求項１乃至５のいずれか１項に記載の面光源装置。
【請求項７】
前記遮蔽部材の一部もしくは全面に紫外線吸収剤を含有する塗布層が設けられていることを特徴とする請求項１乃至５のいずれか１項に記載の面光源装置。
【請求項８】
前記遮蔽部材と前記光源との間に熱伝導体が配置されていることを特徴とする請求項１乃至７のいずれか１項に記載の面光源装置。
【請求項９】
前記遮蔽部材の一部またはすべてが熱伝導体からなることを特徴とする請求項１乃至８のいずれか１項に記載の面光源装置。
【発明の詳細な説明】
【技術分野】
【０００１】
本発明は、電飾看板、液晶表示装置、照明器具などのバックライトや照明ボックスの輝度ムラをより解消し、より薄型化して、効率的に発光させるための面光源装置に関する。
【背景技術】
【０００２】
従来、直下型液晶表示装置は、例えば、透明導電性薄膜からなる電極及び配向膜等が積層された２枚の透明なガラス基板をその積層面が対向するように所定の間隔を隔てて重ね合わせ、両ガラス基板間に液晶を封止し、さらに両ガラス基板の外側に偏光板を設けて成る液晶表示素子と、液晶表示素子の後方に配置される光学フィルム類、更にその後方に配置される液晶表示素子に光を供給する光源、更にその後方に配置される光反射体と、液晶表示素子を駆動する回路基板等から構成されている。
【０００３】
より具体的には、例えば、図９や図１０に示す構成が多く取られている。図９は光拡散板、光拡散フィルム、拡散光を効率よく視野角内に集光させて正面輝度を高めるフィルム（Ｂｒｉｇｈｔｎｅｓｓ  Ｅｎｈａｎｃｅｍｅｎｔ  Ｆｉｌｍ：以下、ＢＥＦとも言う）、偏光選択型ハーフミラーフィルム（Ｄｕａｌ  Ｂｒｉｇｈｔｎｅｓｓ  Ｅｎｈａｎｃｅｍｅｎｔ  Ｆｉｌｍ  ：以下、Ｄ−ＢＥＦとも言う）、電磁波対策としてＩＴＯ蒸着を施したフィルムの計５種の光学フィルムからなっている。
一方、図１０はＢＥＦとＩＴＯ蒸着フィルムを省略した方式であって、コストダウンが可能であるため、現在はこの方式が主流となりつつある。
【０００４】
更なるコストダウンや、装置の薄型化、軽量化を図るためには、Ｄ−ＢＥＦや光拡散板、光拡散フィルムの省略が望まれている。しかしながら、Ｄ−ＢＥＦは液晶を透過出来る偏光成分のみを通過させるフィルタの役目を持っており、また、光拡散板と光拡散フィルムは光源の配置状態がそのまま輝度ムラにならないよう光を適度に乱反射させる役目を持っているため、これらの光学フィルムを取り去ると、光源からの直接光が強すぎて、面光源装置の輝度ムラが激しく出てしまい、使用に耐え難くなるため、これら光学フィルム類の省略は困難であった。
【０００５】
そこで、この問題を解決するために、特許文献１または２のように、半透明部材を光源の前方に設置する方式や、半透明部材で光源に覆いをかける方式が提案されている。しかしながら、これらの方式では、光源と半透明部材の距離に相関して透過光量が敏感に変動するため、光源と半透明部材の距離を近くすると透過光量が上がり、輝度ムラが増加してしまう。このため、光源と半透明部材の距離を取らざるを得ず、面光源装置の薄型省スペース化と輝度ムラ改善の両方の課題を同時に解決することができなかった。
【０００６】
【特許文献１】特開２００３−２２７０１号公報
【特許文献２】特開２００３−２９６７３号公報
【発明の開示】
【発明が解決しようとする課題】
【０００７】
本発明は、前述した事情に鑑みてなされたもので、面光源装置の薄型省スペース化と輝度ムラ改善の両方の課題を解決できる技術を提供することを目的とする。
【課題を解決するための手段】
【０００８】
本発明者らは、前述した課題を解決すべく種々研究を重ねた結果、光源と液晶表示素子との間に遮蔽部材を配置することにより、面光源装置の薄型省スペース化と輝度ムラの改善ができることを見出した。
すなわち本発明は、
（１）少なくとも、光源と光反射体、液晶表示素子からなる面光源装置において、可視光域における全反射率が７０％以上であり、かつ光線透過率が１５％以下である遮蔽部材が前記光源と前記液晶表示素子との間に配置されていることを特徴とする面光源装置、
（２）前記遮蔽部材と前記液晶表示素子との間に、反射率が１０％以上の半透過部材が配置されていることを特徴とする（１）に記載の面光源装置、
（３）前記遮蔽部材が、内部に平均気泡径が５０μｍ以下の気泡または気孔を複数有する熱可塑性樹脂のフィルムまたはシートであることを特徴とする（１）または（２）に記載の面光源装置、
（４）前記遮蔽部材が、フィラーを含有する熱可塑性樹脂のフィルムまたはシートであって、前記フィラーを核として複数のボイドが形成されているフィルムまたはシートにより形成されていることを特徴とする（１）または（２）に記載の面光源装置、
（５）前記フィラーを含有する熱可塑性樹脂のフィルムまたはシートは、フィラーを含有する未延伸フィルムまたはシートを成形し、この未延伸フィルムまたはシートを延伸することにより、前記フィラーを核として複数のボイドを形成した多孔性延伸フィルムまたはシートであることを特徴とする（４）に記載の面光源装置、
（６）前記遮蔽部材が紫外線吸収剤を含有することを特徴とする（１）乃至（５）のいずれか１つに記載の面光源装置、
（７）前記遮蔽部材の一部もしくは全面に紫外線吸収剤を含有する塗布層が設けられていることを特徴とする（１）乃至（５）のいずれか１つに記載の面光源装置、
（８）前記遮蔽部材と前記光源との間に熱伝導体が配置されていることを特徴とする（１）乃至（７）のいずれか１項に記載の面光源装置、
（９）前記遮蔽部材の一部またはすべてが熱伝導体からなることを特徴とする（１）乃至（８）のいずれか１つに記載の面光源装置、
を提供することを目的とする。
【０００９】
以下、本発明についてさらに詳しく説明する。本発明に用いられる、遮蔽部材の材質は特に限定されない。遮蔽部材として金属を用いる場合には、アルミニウム、ステンレスなどの銀白色の金属や、クロムメッキ、錫メッキなど銀白色の金属で表面がメッキされた金属が好ましい。一方、遮蔽部材として無機物を用いる場合には、硫酸バリウム、アルミナ粉体を固めた物でも良いし、白色陶器等でも良い。
【００１０】
面光源装置の軽量化のためには、遮蔽部材の材質としては熱可塑性樹脂がより好ましく、例えば、ポリエチレン、ポリプロピレン、ポリスチレン、ポリ塩化ビニル、ポリ塩化ビフェニル、ポリエチレンテレフタレート、ポリビニルアルコールなどの汎用樹脂、ポリカーボネート、ポリブチレンテレフタレート、ポリエチレンナフタレート、ポリアミド、ポリアセタール、ポリフェニレンエーテル、超高分子量ポリエチレン、ポリサルフォン、ポリエーテルサルフォン、ポリフェニレンサルファイド、ポリアリレート、ポリアミドイミド、ポリエーテルイミド、ポリエーテルエーテルケトン、ポリイミド、ポリテトラフルオロエチレン、液晶ポリマー、フッ素樹脂などのエンジニアリングプラスチック、またはこれらの共重合体または混合物などが挙げられる。これらのうちでも、耐熱性、耐衝撃性などが良好であることから、ポリエステル、ポリフェニレンサルファイド、ポリプロピレン、シクロポリオレフィンが特に好ましい。
【００１１】
遮蔽部材のさらに好ましい例として、内部に平均気泡径が５０μｍ以下の微細な気泡または気孔を多数有する熱可塑性樹脂のフィルムまたはシートや、フィラーを含有する熱可塑性樹脂のフィルムまたはシートであって、フィラーを核として多数のボイドが形成されているフィルムまたはシートが挙げられる。この場合、後者のフィラーを含有する熱可塑性樹脂のフィルムまたはシートは、フィラーを含有する未延伸フィルムまたはシートを成形し、この未延伸フィルムまたはシートを延伸することにより、フィラーを核として多数のボイドを形成した多孔性延伸フィルムまたはシートであることが好ましい。
なお、平均気泡径の下限は特に限定されないが、光の１／４波長以上であることが好ましい。
【００１２】
なお、本発明においては、光源から発せられた光は、少なくとも１回以上の反射を経て液晶表示素子に入るため、可視光域における全反射率が高いほど光損失が生じない。よって、遮蔽部材の可視光域における全反射率は７０％以上とする。好ましくは９０％以上、より好ましくは９５％以上である。
また、透過光がある場合、光源と遮蔽部材間距離によって輝度ムラの出方に違いが生じるため、設計が難しくなってしまう。このため、遮蔽部材の可視光域における光線透過率は人間目視の限度以下となる１５％以下であることが好ましい。好ましくは１０％以下、より好ましくは５％以下である。光線透過率の下限は特に限定されないが、０．１％以上であることが好ましい。
【００１３】
なお、上記遮蔽部材に用いられる樹脂中には、紫外線吸収剤を添加することができる。また、紫外線吸収剤を含有した塗布層を塗布して形成してもよい。
【００１４】
面光源装置の光源として一般的に用いられている蛍光灯（以下、ＣＣＦＬとも言う）から発生する紫外線は、液晶表示素子や樹脂の劣化を促進してしまう。そこで、遮蔽部材に用いられる樹脂中に紫外線吸収剤を添加したり、紫外線吸収剤を含有した塗布層を塗布して形成することにより、液晶表示素子や樹脂の劣化を抑えることができる。
【００１５】
本発明に用いる紫外線吸収剤としては特に限定されないが、例えば、ベンゾフェノン系、ベンゾトリアゾール系、トリアジン系、シアノアクリレート系、サリチル酸エステル系、ベンゾエート系、蓚酸アニリド系あるいは酸化亜鉛等の無機系の紫外線吸収等が挙げられる。また、紫外線を吸収する作用を有する、ジアミノスチルベン・ジスルホン酸等の蛍光増白剤や蓄光剤であっても良い。
その他、Ｎｄ：ＹＡＧ、Ｅｒ：ＹＡＧ、Ｙｂ：ＹＡＧ、Ｃｒ：ＹＡＧ、Ｅｒ：ＹＳＧＧ、Ｃｒ，Ｎｄ：ＹＳＧＧ、Ｃｒ，Ｅｒ：ＹＳＧＧ、Ｎｄ：ＹＬＦ、Ｎｄ：ＬＳＢ、Ｅｒ：ＹＬＦ、Ｈｏ：ＹＬＦ、Ｔｍ：ＹＬＦ、Ｎｄ：ＫＧＷ、Ｅｒ：ＫＧＷ等のいわゆる光学結晶、あるいはＣｄＳｅ、ＺｎＳ、Ｍｎ：ＺｎＳ等の半導体蛍光材料でも良い。更に、蛍光ではなく、燐光材料でも紫外線を吸収する点では効果は同様である。
【００１６】
紫外線吸収剤として具体的には、ビス（５−ベンゾイル−４−ヒドロキシ−２−メトキシフェニル）メタン、２，２’−４，４’−テトラハイドロキシ−ベンゾフェノン、２，２’−ジハイドロキシ−４，４’−ジメトキシ−ベンゾフェノン、ビス（５−ベンゾイル−４−ヒドロキシ−２−メトキシフェニル）メタン、２，２’−ジヒドロキシ−４−メトキシベンゾフェノン、２，４−ジ−ｔ−ブチルフェニル−３’，５’−ジ−ｔ−ブチル−４’−ハイドロキシベンゾエート、２，２’−メチレンビス［４−（１，１，３，３−テトラメチルブチル）−６−（２Ｈ−ベンゾトリアゾール−２−イル）フェノール］、２−（２’−ハイドロキシ−５’−メチルフェニル）ベンゾトリアゾール、２−（２’−ハイドロキシ−５’−ｔ−オクチルフェノール）ベンゾトリアゾール、２−（３’，５’−ジターシャリアミル−２’−ヒドロキシフェニル）ベンゾトリアゾール、２（２’−ヒドロキシ−３’−ｔ−ブチル−５’−メチルフェニル）−５−クロロベンゾトリアゾール、２（２’−ハイドロキシ−３’，５’−ジ−ｔ−ブチルフェニル）ベンゾトリアゾール、２−エトキシ−２’−エチルオキザックアシッドビスアニリド、２，４−ジ−ｔ−ブチルフェニル−３’，５’−ジ−ｔ−ブチル−４’−ハイドロキシベンゾエート、ビス（２，２，６，６−テトラメチル−４−ピペリジル）セバケート、コハク酸ジメチル・１−（２−ヒドロキシエチル）−４−ヒドロキシ−２，２，６，６−テトラメチルピペリジン重縮合物等を用いることができる。紫外線吸収剤は、単独、場合によっては２種以上の併用であってもよい。紫外線吸収剤の添加量、塗布量も特に限定されない。
【００１７】
本発明の遮蔽部材の厚さは特に限定されない。また、本発明では、遮蔽部材を、複数枚のフィルムまたはシートを積層することにより形成することができる。複数枚のフィルムまたはシートを積層する際、それぞれのフィルムまたはシートの材質は同一であっても同一でなくても良い。
【００１８】
光源として一般に用いられている現行のＣＣＦＬの場合、その発光効率が最も優れているのは一般に４５〜５５℃程度と言われている。面光源装置の薄型化や集積化が進むと、光源から発生する熱が装置内部に籠もり、内部温度が上昇して、場合によっては発光効率が下がってしまうという問題が生じる恐れがあるため、光源の熱の廃棄も重要な課題の一つとなっている。
そこで本発明においては、光源から発生する熱を逃がし、輻射熱を抑えるために、光源と遮蔽部材の間に熱伝導体を配置したり、遮蔽部材の一部または全てを熱伝導体で形成しても良い。
【００１９】
熱伝導体としては、全反射率が７０％以上、かつ、光線透過率が１５％以下であるという条件を満たし、かつ、汎用樹脂以上の熱伝導率を持っているものであれば特に限定されないが、金属材料が好ましい。金属材料の中でも、表面が銀白色の金属、あるいは銀白色の金属でメッキされた金属であることがより好ましい。熱伝導率は高ければその棄熱の効果は高いので、ヒートパイプがさらに好ましい。
【００２０】
また、本発明においては、遮蔽部材と液晶表示素子の間に反射率１０％以上の半透過部材を配置することにより、より輝度ムラを改善することができる。半透過部材としては、例えば、偏光選択型ハーフミラーフィルムが挙げられる。偏光選択型ハーフミラーフィルムは、液晶を通過出来る偏光の光のみを通すので、半透過部材として偏光選択型ハーフミラーフィルムを用いることにより、光損失が最小限で済むため、面光源装置全体の輝度がより向上する。尚、半透過部材の光反射率の上限に特に限定はないが、７０％以下であることが好ましい。
【発明の効果】
【００２１】
本発明によれば、バックライト方式の面光源装置の薄型省スペース化と輝度ムラの改善をすることができる。
また、サイドライト方式の面光源装置において導光体からの発光面分布にムラが生じてしまっている場合にも、その明るい部分に遮蔽部材を配置して輝度ムラを低減することも可能である。
【発明を実施するための最良の形態】
【００２２】
次に、図面を参照して本発明に係る遮蔽部材の一例を示すが、本発明は下記例に限定されるものではない。
図１および図２に本発明の面光源装置の一例を示す。簾状の遮蔽部材９は、光源７の直径と同等以上の幅の帯部と貫通部からなっている。この遮蔽部材９の帯部を光源７上に配置することによって、光源直上の輝度が明るく、光源間の輝度が暗くなるという輝度ムラが解消できる。
【００２３】
なお、本例においては、遮蔽部材を簾状としたが、遮蔽部材の形状は特に限定されず、例えば図３に示すように光源上に一本ずつ帯状の遮蔽部材を配置しても良いし、図４に示すように樋状の形状の遮蔽部材を配置しても良い。しかしながら、図１に示したような簾状の一体型の遮蔽部材である方が、組み立て製造コストが安くなるので好ましい。
【００２４】
光源７から出射した光は、一部が遮蔽部材９に当たり、光反射体側へ撥ね返される。光反射体側へ撥ね返った光は、光反射体８に当たり反射されて再び液晶表示素子側へ戻る。これを繰り返すことにより、光源７から出射した光は液晶表示素子全体に行き渡り輝度ムラを解消できる。
【００２５】
さらに、図５に示すように、遮蔽部材９と液晶表示素子１の間に反射率１０％以上の半透過部材３を配置することにより、より輝度ムラを解消することができる。すなわち、液晶表示素子側へ向かう光の一部が半透過部材３によって光反射体側へ撥ね返され、遮蔽部材９または光反射体８に当たり再反射される。これを繰り返すことにより、光源７から出射した光は液晶表示素子全体により均一に行き渡り輝度ムラを解消できる。
【００２６】
図６に本発明の別の構成例を示す。遮蔽部材９の光源側の面には熱伝導体１０が貼りつけてある。さらに、この熱伝導体１０は放熱フィン１２に連結しており、放熱フィン１２は筐体１３外部に付き出している（図７）。光源７から発生する輻射熱を熱伝導体１０が受け取り、筐体１３外部へと伝達して、面光源装置の内部温度を下げることができる。
【００２７】
なお、本発明に用いる光源７としては特に限定はない。現行の一般的な直下型液晶の場合、ＣＣＦＬの利用が一般的であるが、汎用蛍光灯、ＬＥＤ、レーザー、白熱電球など、光を発するものであれば、特に限定は無い。
【００２８】
以下に本発明を実施例によって説明する。なお、得られた面光源装置の各種特性の測定及び評価は以下の通りとした。
（全反射率および光線透過率）
遮蔽部材の可視光域における全反射率および光線透過率の測定は、島津分光器ＵＶ−３１０１ＰＣとマルチパーパス大型試料室ＭＰＣ−３１００のセットで４００ｎｍ〜８００ｎｍの波長範囲で行った。測定方法はＵＶ−３１００マニュアルに準拠した。
【００２９】
（輝度ムラ）
２０インチ直下型液晶テレビの光学フィルム類（光拡散板、光拡散フィルム、ＢＥＦフィルム、Ｄ−ＢＥＦフィルム、電磁波対策フィルム）を取り去り、代わりに遮蔽部材を配置し、液晶表示素子、遮蔽部材、光源（ＣＣＦＬ（管径４ｍｍ））、光反射体（古河電気工業製のＭＣＰＥＴ（登録商標）、気泡径７μｍ）からなるテレビユニットを組み立てた。
このテレビユニットをホワイト画面に設定し、輝度計（トプコン社製  ＢＭ-９）を用いて測定距離３５０ｍｍで画面輝度を測定した。なお、輝度計受光器はトプコン社製ＢＭ−９１０Ｄを用いた。測定間隔は２ｍｍピッチとした。また測定は、１０本あるＣＣＦＬのうち４本目と５本目の中間点から、６本目と７本目の中間までの６０ｍｍの距離に於いて行なった。
全ての測定値から輝度最大値および最小値を求め、輝度最大値から最小値を引いた値を輝度ムラとした。
【００３０】
（出射光スペクトル）
輝度ムラ測定の状態から液晶表示素子を外し、輝度計を設置していた位置に瞬間マルチ測光システム（ＭＣＰＤ−２０００；大塚電子）を設置して出射光のサンプリングを行ない、そのスペクトルを確認した。
【００３１】
（実施例１）
遮蔽部材として、ポリエステル発泡体（古河電気工業製のＭＣＰＥＴ（登録商標）、気泡径７μｍ）の４００ｍｍ×２３０ｍｍ×１ｍｍ厚のシートに３８０×２０ｍｍの長方形孔９個を等間隔に開けた簾状遮蔽部材を用いた。この遮蔽部材の可視光域における全反射率は９８％であり、光線透過率は２％である。輝度ムラ測定結果を表１に示す。
【００３２】
（実施例２）
光反射率４１％のＤ−ＢＥＦフィルムを液晶表示素子と遮蔽部材の間に設置した以外は実施例１と同じとした。輝度ムラ測定結果を表１に示す。
【００３３】
（比較例１）
遮蔽部材を使用しなかった以外は実施例１と同じとした。輝度ムラ測定結果を表１に示す。また、液晶表示素子の内面の５本目のＣＣＦＬ直上に当たる位置に熱電対を設置し、テレビユニット内部温度をモニターした。２４時間ホワイト画面で放置した後の温度は５８℃であった。
【００３４】
（比較例２）
遮蔽部材を使用しなかった以外は実施例２と同じとした。輝度ムラ測定結果を表１に示す。
【００３５】
（実施例３）
遮蔽部材の表裏にベンゾトリアゾール系の紫外線吸収剤を含有する塗料を、平均膜厚３０μｍで塗布した以外は実施例１と同じとした。輝度ムラ測定結果を表１、出射光スペクトルの測定結果を図８に示す。
【００３６】
（比較例３）
遮蔽部材に２ｍｍ径の貫通穴を５ｍｍピッチで開けた以外は実施例１と同じとした。輝度ムラ測定結果を表１、出射光スペクトルの測定結果を図８に示す。
【００３７】
（実施例４）
遮蔽部材の光反射体側の面に厚さ１ｍｍ、幅３ｍｍの錫メッキ銅材からなるイカダ状の熱伝導体を貼りつけた以外は実施例１と同じとした。液晶表示素子の内面の５本目のＣＣＦＬ直上に当たる位置に熱電対を設置し、テレビユニット内部温度をモニターした。２４時間ホワイト画面で放置した後の温度は４５℃であった。
【００３８】
（比較例４）
遮蔽部材として、光透過率４０％のアクリル樹脂からなる半透明部材を用いた以外は実施例１と同じとした。輝度ムラ測定結果を表１に示す。
【００３９】
【表１】
2006267523.tif 000003
【００４０】
実施例１と比較例１、実施例２と比較例２を比較してわかるように、遮蔽部材を用いることによって、輝度ムラは大幅に改善できた。
【００４１】
比較例３は輝度ムラが小さいものの、図８から明らかなように、遮蔽部材に形成した貫通穴から紫外線が抜け出るため、液晶表示素子へのダメージが避けられない。一方、実施例３では、光源から発生した紫外線が、遮蔽部材で反射される際に吸収されるため、ほとんどの紫外線を除去することができた。よって、光源から発生した紫外線は液晶表示素子まで届かず、液晶表示素子の劣化を防ぐことができる。
【００４２】
実施例１と比較例４の結果から、光透過性の大きな遮蔽部材を用いると、ＣＣＦＬ−遮蔽部材間の距離を接近させたときに、輝度ムラが大きくなってしまったが、本発明の遮蔽部材では、ほとんど変化が見られなかった。よって、本発明の遮蔽部材を用いると面光源装置の薄型化に貢献出来る上、構造設計が容易となるといえる。
【００４３】
また、実施例４と比較例１の結果から、熱伝導体を設置することにより、テレビユニット内部の温度上昇を抑えることができた。
【図面の簡単な説明】
【００４４】
【図１】本発明の面光源装置の分解斜視図
【図２】本発明の面光源装置の断面図
【図３】本発明の面光源装置の分解斜視図
【図４】本発明の面光源装置の分解斜視図
【図５】本発明の面光源装置の断面図
【図６】本発明の面光源装置の分解斜視図
【図７】本発明の面光源装置の構成例
【図８】出射スペクトル測定結果
【図９】従来の面光源装置の断面図
【図１０】従来の面光源装置の断面図
【符号の説明】
【００４５】
１  液晶表示素子（液晶）
２  電磁波対策フィルム
３  半透過部材（Ｄ−ＢＥＦ）
４  ＢＥＦ
５  光拡散フィルム
６  光拡散板
７  光源（ＣＣＦＬ）
８  光反射体
９  遮蔽部材
１０  熱伝導体
１２  放熱フィン
１３  筐体
【図１】
2006267523.tif 000004
【図２】
2006267523.tif 000005
【図３】
2006267523.tif 000006
【図４】
2006267523.tif 000007
【図５】
2006267523.tif 000008
【図６】
2006267523.tif 000009
【図７】
2006267523.tif 000010
【図８】
2006267523.tif 000011
【図９】
2006267523.tif 000012
【図１０】
2006267523.tif 000013